(57)【要約】【課題】複数の調湿装置で同一の室内の空気を調湿する調湿システムにおいて、消費電力を低減する。【解決手段】調湿システム（10）は、除湿量又は加湿量を示す潜熱能力が可変に構成され、それぞれが除湿し又は加湿した空気を同一の室内へ供給する複数の調湿装置（13a,13b,13c）と、調湿装置（13a,13b,13c）が発揮できる最大の潜熱能力に対する調湿装置（13a,13b,13c）が発揮している潜熱能力の比を潜熱能力比としたときに、各調湿装置（13a,13b,13c）が発揮している潜熱能力の合計が室内の潜熱負荷を処理できる値となり、且つ各調湿装置（13a,13b,13c）の潜熱能力比が同じになるように、複数の調湿装置（13a,13b,13c）を制御する制御部（12）とを備えている。【選択図】図１
2013139899.tif 000002
【特許請求の範囲】
【請求項１】
除湿量又は加湿量を示す潜熱能力が可変に構成され、それぞれが除湿し又は加湿した空気を同一の室内へ供給する複数の調湿装置（13a,13b,13c）と、
前記調湿装置（13a,13b,13c）が発揮できる最大の潜熱能力に対する該調湿装置（13a,13b,13c）が発揮している潜熱能力の比を潜熱能力比としたときに、前記各調湿装置（13a,13b,13c）が発揮している潜熱能力の合計が室内の潜熱負荷を処理できる値となり、且つ該各調湿装置（13a,13b,13c）の潜熱能力比が同じになるように、前記複数の調湿装置（13a,13b,13c）を制御する制御部（12）とを備えている
ことを特徴とする調湿システム。
【請求項２】
請求項１において、
前記制御部（12）は、前記各調湿装置（13a,13b,13c）の潜熱能力比の平均値である平均能力比を算出し、全ての前記調湿装置（13a,13b,13c）の潜熱能力比が該平均能力比となるように、全ての該調湿装置（13a,13b,13c）を制御する
ことを特徴とする調湿システム。
【請求項３】
請求項１において、
前記制御部（12）は、前記複数の調湿装置（13a,13b,13c）のうち一つの調湿装置（13a,13b,13c）の潜熱能力比を基準能力比とし、全ての前記調湿装置（13a,13b,13c）の潜熱能力比が該基準能力比となるように、全ての該調湿装置（13a,13b,13c）を制御する
ことを特徴とする調湿システム。
【請求項４】
請求項１乃至３の何れか１つにおいて、
前記各調湿装置（13a,13b,13c）は、
それぞれが吸着剤を担持する第１吸着熱交換器（151）及び第２吸着熱交換器（1512と圧縮機（153）とを有し、該第１吸着熱交換器（151）が放熱器となって該第２吸着熱交換器（152）が蒸発器となる第１冷凍サイクル動作と、該第２吸着熱交換器（152）が放熱器となって該第１吸着熱交換器（151）が蒸発器となる第２冷凍サイクル動作とを交互に繰り返し行う冷媒回路（150）を備え、
前記第１吸着熱交換器（151）と前記第２吸着熱交換器（151）のうち蒸発器となっている方を室外の空気が、放熱器となっている方を室内の空気がそれぞれ通過する除湿運転と、該第１吸着熱交換器（151）と該第２吸着熱交換器（152）のうち放熱器となっている方を室外の空気が、蒸発器となっている方を室内の空気がそれぞれ通過する加湿運転とを実行可能であり、
前記制御部（12）は、前記各調湿装置（13a,13b,13c）の潜熱能力比が同じになるように、全ての該各調湿装置（13a,13b,13c）の圧縮機（153）の回転速度を制御する
ことを特徴とする調湿システム。
【発明の詳細な説明】
【技術分野】
【０００１】
本発明は、室内を調湿する調湿装置を複数備えた調湿システムに関するものである。
【背景技術】
【０００２】
従来より、特許文献１に示すように、空調機や外気処理機を用いて室内の空気を暖房又は冷房するとともに、室内の空気の除湿又は加湿を行う空調システムが知られている。
【０００３】
この空調システムでは、空調機による暖房運転中又は冷房運転中に、外気処理機によって除湿運転又は加湿運転が行われる。除湿運転では、除湿された室外空気が室内へ供給され、加湿された室内空気が室外へ排出される。一方、加湿運転では、加湿された室外空気が室内へ供給され、除湿された室内空気が室外へ排出される。
【０００４】
外気処理機は、複数の調湿ユニットを備え、各調湿ユニットにはコントローラが設けられている。このコントローラにリモコンなどから目標の湿度が入力されることによって、室内の空気の湿度が目標の湿度となるように、各調湿ユニットが制御される。つまり、特許文献１の空調システムでは、各調湿ユニットは、それぞれに設けられたコントローラによって、空気の除湿量又は加湿量を示す潜熱能力を、独立して調節することができる。
【先行技術文献】
【特許文献】
【０００５】
【特許文献１】特開２０１０−７８２１７号公報
【発明の概要】
【発明が解決しようとする課題】
【０００６】
特許文献１の空調システムは、複数の調湿ユニットの潜熱能力を独立して調節することができるため、それぞれ別々の室内空気を調湿する場合には好ましいといえる。ところが、複数の調湿ユニットによって同一の室内の空気を調湿する場合に各調湿ユニットを独立して制御すると、第１の調湿ユニットの潜熱能力が過度に高くなり、第２の調湿ユニットの潜熱能力が低くなった状態のまま、空調システムが稼働しうる。
【０００７】
ここで、調湿ユニットが発揮できる最大の潜熱能力に対する調湿ユニットが実際に発揮している潜熱能力の比を潜熱能力比とすると、調湿ユニットの消費電力と潜熱能力比との関係は図１０に示すようになる。
【０００８】
例えば、第１及び第２の調湿ユニットが発揮できる最大の潜熱能力が同じであり、第１の調湿ユニットの潜熱能力が第２の調湿ユニットの潜熱能力よりも大きいとすると、第１の調湿ユニットの潜熱能力比は第２の調湿ユニットの潜熱能力比よりも高い状態である。図１０に示すように、潜熱能力比と消費電力との関係は線形ではなく、潜熱能力比が比較的高い場合における消費電力の変化量は、潜熱能力比が比較的低い場合における消費電力の変化量よりも大きい。したがって、第１及び第２の調湿ユニットの潜熱能力の合計が同じであっても、これらの潜熱能力比の差が大きくなるほど、第１及び第２の調湿ユニットの消費電力の合計は増大することになる。そして、このことは、第１及び第２の調湿ユニットの最大の潜熱能力が異なる場合にも当てはまる。
【０００９】
このように、複数の調湿ユニットによって、同一の室内の空気を調湿する場合に、各調湿ユニットが個別に自己の潜熱能力を制御すると、空調システム全体の消費電力が増大するおそれがある。
【００１０】
本発明は、かかる点に鑑みてなされたものであり、その目的は、複数の調湿装置で同一の室内の空気を調湿する調湿システムにおいて、消費電力を低減することにある。
【課題を解決するための手段】
【００１１】
第１の発明は、除湿量又は加湿量を示す潜熱能力が可変に構成され、それぞれが除湿し又は加湿した空気を同一の室内へ供給する複数の調湿装置（13a,13b,13c）と、前記調湿装置（13a,13b,13c）が発揮できる最大の潜熱能力に対する該調湿装置（13a,13b,13c）が発揮している潜熱能力の比を潜熱能力比としたときに、前記各調湿装置（13a,13b,13c）が発揮している潜熱能力の合計が室内の潜熱負荷を処理できる値となり、且つ該各調湿装置（13a,13b,13c）の潜熱能力比が同じになるように、前記複数の調湿装置（13a,13b,13c）を制御する制御部（12）とを備えていることを特徴とする調湿システム（10）を対象とする。
【００１２】
第１の発明では、複数の調湿装置（13a,13b,13c）で１つの室内の空気を調湿する調湿システム（10）において、複数の調湿装置（13a,13b,13c）はそれぞれ、同一の室内の潜熱負荷を処理するものであり、空気の除湿量又は加湿量を示す潜熱能力の調節が可能となっている。そして、制御部（12）は、各調湿装置（13a,13b,13c）の潜熱能力の合計を、室内の潜熱負荷を処理するために必要な値に保ちつつ、各調湿装置（13a,13b,13c）の潜熱能力比が均等になるように制御する。
【００１３】
調湿装置（13a,13b,13c）には、発揮できる最大の潜熱能力が設定されており、調湿装置（13a,13b,13c）は、その最大潜熱能力以下の潜熱能力を発揮して、室内の潜熱負荷を処理している。この最大潜熱能力に対する調湿装置が発揮している潜熱能力の比を潜熱能力比と定義することとする。
【００１４】
調湿装置の潜熱能力比が大きくなると、調湿装置の消費電力が多くなるが、この潜熱能力比と消費電力とには、図１０に示すような関係がある。つまり、潜熱能力比と消費電力とは、線形的な関係ではく、潜熱能力比が比較的高い場合における消費電力の変化量が、潜熱能力比が比較的低い場合における消費電力の変化量よりも大きいという関係にある。
【００１５】
潜熱能力が可変に構成された複数の調湿装置で同一の室内空気を調湿する場合、いくつかの調湿装置の潜熱能力比が過度に高くなり、残りの調湿装置の潜熱能力比が過度に低くなるおそれがある。この場合、図１０から、各調湿装置の潜熱能力の合計が同じであっても、各調湿装置の潜熱能力比の差が大きくなるほど、各調湿装置の消費電力の合計が増大することがわかる。
【００１６】
第１の発明によると、複数の調湿装置（13a,13b,13c）を用いて１つの室内の潜熱負荷を処理する場合に、室内の潜熱負荷の処理量を所定の値に保ちつつ、さらに、各調湿装置（13a,13b,13c）の潜熱能力比を同じにすることで、各調湿装置（13a,13b,13c）の消費電力が均一になるため、各調湿装置（13a,13b,13c）の潜熱能力比が異なる場合に比べて、調湿システム（10）全体の消費電力を低減することができる。
【００１７】
第２の発明は、上記第１の発明において、前記制御部（12）は、前記各調湿装置（13a,13b,13c）の潜熱能力比の平均値である平均能力比を算出し、全ての前記調湿装置（13a,13b,13c）の潜熱能力比が該平均能力比となるように、全ての該調湿装置（13a,13b,13c）を制御することを特徴とするものである。
【００１８】
第２の発明では、制御部（12）は、各調湿装置（13a,13b,13c）の潜熱能力比の平均値である平均能力比を算出する。そして、制御部（12）が、全ての調湿装置（13a,13b,13c）の潜熱能力比が平均能力比となるように各調湿装置（13a,13b,13c）を制御することで、各調湿装置（13a,13b,13c）の潜熱能力比が同じになる。
【００１９】
第３の発明は、上記第１の発明において、前記制御部（12）は、前記複数の調湿装置（13a,13b,13c）のうち一つの調湿装置（13a,13b,13c）の潜熱能力比を基準能力比とし、全ての前記調湿装置（13a,13b,13c）の潜熱能力比が該基準能力比となるように、全ての該調湿装置（13a,13b,13c）を制御することを特徴とするものである。
【００２０】
第３の発明では、制御部（12）は、全ての調湿装置（13a,13b,13c）の潜熱能力比の基準となる基準能力比を決定する。ここで、基準能力比とは、複数の調湿装置（13a,13b,13c）のうちの一つの調湿装置（13a,13b,13c）の潜熱能力比である。そして、制御部（12）が、全ての調湿装置（13a,13b,13c）の潜熱能力比が基準能力比となるように各調湿装置（13a,13b,13c）を制御することで、全ての調湿装置（13a,13b,13c）の潜熱能力比が同じになる。
【００２１】
第４の発明は、上記第１乃至３の何れか１つの発明において、前記各調湿装置（13a,13b,13c）は、それぞれが吸着剤を担持する第１吸着熱交換器（151）及び第２吸着熱交換器（152）と圧縮機（153）とを有し、該第１吸着熱交換器（151）が放熱器となって該第２吸着熱交換器（152）が蒸発器となる第１冷凍サイクル動作と、該第２吸着熱交換器（152）が放熱器となって該第１吸着熱交換器（151）が蒸発器となる第２冷凍サイクル動作とを交互に繰り返し行う冷媒回路（150）を備え、前記第１吸着熱交換器（151）と前記第２吸着熱交換器（152）のうち蒸発器となっている方を室外の空気が、放熱器となっている方を室内の空気がそれぞれ通過する除湿運転と、該第１吸着熱交換器（151）と該第２吸着熱交換器（152）のうち放熱器となっている方を室外の空気が、蒸発器となっている方を室内の空気がそれぞれ通過する加湿運転とを実行可能であり、前記制御部（12）は、前記各調湿装置（13a,13b,13c）の潜熱能力比が同じになるように、全ての該各調湿装置（13a,13b,13c）の圧縮機（153）の回転速度を制御することを特徴とするものである。
【００２２】
第４の発明では、各調湿装置（13a,13b,13c）は除湿運転と加湿運転とを行うことができる。除湿運転中及び加湿運転中の各調湿装置（13a,13b,13c）では、冷媒回路（150）の圧縮機（153）が作動し、冷媒回路（150）が第１冷凍サイクル動作と第２冷凍サイクル動作とを交互に繰り返し行う。放熱器となっている吸着熱交換器（151,152）では、その表面に担持された吸着剤が冷媒によって加熱され、吸着剤から水分が脱離する。吸着剤から脱離した水分は、吸着熱交換器（151,152）を通過する空気に付与される。一方、蒸発器となっている吸着熱交換器（151,152）では、そこを通過する空気中の水分が吸着剤に吸着される。この吸着熱交換器（151,152）を流れる冷媒は、空気中の水分が吸着剤に吸着される際に発生した吸着熱を吸熱して蒸発する。そして、制御部（12）は、各調湿装置（13a,13b,13c）の除湿運転中及び加湿運転中において、各調湿装置（13a,13b,13c）の潜熱能力比が同じになるように、圧縮機（153）の回転速度を制御する。
【発明の効果】
【００２３】
本発明によれば、複数の調湿装置（13a,13b,13c）を用いて同一の室内の空気を調湿する場合に、各調湿装置（13a,13b,13c）の潜熱能力比を同じにすることで、各調湿装置（13a,13b,13c）の消費電力が平均化されるため、各調湿装置（13a,13b,13c）の潜熱能力比が異なる場合に比べて、調湿システム（10）の消費電力を低減することができる。
【図面の簡単な説明】
【００２４】
【図１】図１は、本発明の実施形態の調湿システム全体の概略を示す構成図である。
【図２】図２は、本実施形態の調湿装置の概略構成を示す斜視図である。
【図３】図３は、本実施形態の調湿装置の概略構成を示す平面視、右側面視、及び左側面視の構成図である。
【図４】図４は、冷媒回路の構成を示す配管系統図であって、(Ａ)は第１動作中の動作を示すものであり、(Ｂ)は第２動作中の動作を示すものである。
【図５】図５は、除湿運転の第１動作中における空気の流れを示す調湿装置の概略構成図である。
【図６】図６は、除湿運転の第２動作中における空気の流れを示す調湿装置の概略構成図である。
【図７】図７は、加湿運転の第１動作中における空気の流れを示す調湿装置の概略構成図である。
【図８】図８は、加湿運転の第２動作中における空気の流れを示す調湿装置の概略構成図である。
【図９】図９は、本実施形態の調湿システムの制御動作を説明するためのフローチャートである。
【図１０】図１０は、調湿装置の潜熱能力比と消費電力との関係を示すグラフである。
【発明を実施するための形態】
【００２５】
以下、本発明の実施形態を図面に基づいて詳細に説明する。
【００２６】
《本発明の実施形態》
本発明の実施形態について説明する。本実施形態の調湿システム（10）は、複数の調湿装置（13a,13b,13c）で１つの室内の空気の調湿を行うものである。この調湿システム（10）は、図１に示すように、同一の室内に、制御ユニット（12）と、３台の調湿装置（13a,13b,13c）とを備えている。尚、調湿装置の台数は単なる例示である。
【００２７】
各調湿装置（13a,13b,13c）は、室内の空気を除湿し又は加湿することで、室内の潜熱負荷を処理する。また、各調湿装置（13a,13b,13c）は、それぞれに対応するコントローラ（21a,21b,21c）を備えている。各調湿装置（13a,13b,13c）は、対応するコントローラ（21a,21b,21c）による制御によって、室内の潜熱負荷の処理量、すなわち空気の除湿量又は加湿量を示す潜熱能力が変更可能に構成されている。
【００２８】
調湿装置（13a）には、外気吸込ダクト（16）と、外気供給ダクト（17a）と、内気吸込ダクト（18a）と、内気排出ダクト（19）とが接続されている。調湿装置（13b）には、外気吸込ダクト（16）と、外気供給ダクト（17b）と、内気吸込ダクト（18b）と、内気排出ダクト（19）とが接続されている。調湿装置（13c）には、外気吸込ダクト（16）と、外気供給ダクト（17c）と、内気吸込ダクト（18c）と、内気排出ダクト（19）とが接続されている。
【００２９】
制御ユニット（12）は、各調湿装置（13a,13b,13c）と制御線（15）で接続されている。そして、制御ユニット（12）は、全ての調湿装置（13a,13b,13c）の潜熱能力の合計を、室内の潜熱負荷を所定値以上処理できるような値に維持しつつ、各調湿装置（13a,13b,13c）の潜熱能力比が同じになるように各調湿装置（13a,13b,13c）を制御する。制御ユニット（12）は、各調湿装置（13a,13b,13c）で共通となる潜熱能力比を算出するとともに、この潜熱能力比に基づいて各調湿装置（13a,13b,13c）が発揮すべき潜熱能力を算出し、各調湿装置（13a,13b,13c）に対して潜熱能力を送信する。制御ユニット（12）の具体的な制御動作については後述する。尚、所定値とは、例えば、ユーザによって設定される任意の値である。また、潜熱能力比とは、調湿装置が発揮することができる最大の潜熱能力に対する調湿装置が稼働時に発揮している実際の潜熱能力の比である。調湿装置が発揮することができる最大の潜熱能力は、室内空気の温度及び湿度によって変化しうるが、ここでは説明を簡単にするために、調湿装置の最大の潜熱能力を固定とする。
【００３０】
外気吸込ダクト（16）は、室外空気（OA）を吸い込んで各調湿装置（13a,13b,13c）に流入させるためのダクトである。外気供給ダクト（17a,17b,17c）は、外気吸込ダクト（16）から流入してきた室外空気（OA）を、供給空気（SA）として室内に供給するためのダクトである。内気吸込ダクト（18a,18b,18c）は、室内空気（RA）を吸い込んで各調湿装置（13a,13b,13c）に流入させるためのダクトである。内気排出ダクト（19）は、内気吸込ダクト（18a,18b,18c）から流入してきた室内空気（RA）を排出空気（EA）として室外に排出するためのダクトである。
【００３１】
本実施形態の調湿装置の具体的な構成例を図２に示す。尚、各調湿装置（13a,13b,13c）は同様の構成であるため、ここでは、一つの調湿装置（13a）の構成について説明する。
【００３２】
〈調湿装置の全体構成〉
本実施形態の調湿装置（13a）について、図２及び図３を参照しながら説明する。尚、ここでの説明で用いる「上」「下」「左」「右」「前」「後」「手前」「奥」は、特にことわらない限り、調湿装置（13a）を前面側から見た場合の方向を意味している。
【００３３】
調湿装置（13a）は、ケーシング（111）を備えている。また、ケーシング（111）内には、冷媒回路（150）が収容されている。この冷媒回路（150）には、第１吸着熱交換器（151）、第２吸着熱交換器（152）、圧縮機（153）、四方切換弁（154）、及び電動膨張弁（155）が接続されている。冷媒回路（150）の詳細は後述する。
【００３４】
ケーシング（111）は、やや扁平で高さが比較的低い直方体状に形成されている。このケーシング（111）では、図２における左手前側に前面パネル（112）が、同図における右奥側に背面パネル（113）がそれぞれ立設されている。このケーシング（111）は、前後方向の幅と左右方向の幅とが略同一の長さとなっている。
【００３５】
ケーシング（111）の前面パネル（112）では、左寄りの位置に排気口（121）が、右寄りの位置に給気口（122）がそれぞれ開口している。ケーシング（111）の背面パネル（113）の中央部には、上側寄りの位置に外気吸込口（123）が、下側寄りの位置に内気吸込口（124）がそれぞれ開口している。
【００３６】
ケーシング（111）の内部空間は、前面パネル（112）側の部分と背面パネル（113）側の部分とに区画されている。
【００３７】
ケーシング（111）内における前面パネル（112）側の空間は、左右２つの空間に仕切られている。この左右に仕切られた空間は、左寄りの空間が排気ファン室（135）を、右寄りの空間が給気ファン室（136）をそれぞれ構成している。排気ファン室（135）は、排気口（121）及び内気排出ダクト（19）を介して室外空間と連通している。この排気ファン室（135）には排気ファン（125）が収容されており、排気ファン（125）の吹出口が排気口（121）に接続されている。一方、給気ファン室（136）は、給気口（122）及び外気供給ダクト（17a）を介して室内空間と連通している。この給気ファン室（136）には、給気ファン（126）が収容されており、給気ファン（126）の吹出口が給気口（122）に接続されている。また、給気ファン室（136）には、圧縮機（153）も収容されている。
【００３８】
一方、ケーシング（111）内の背面パネル（113）側の空間は、ケーシング（111）内に立設された第１仕切板（116）及び第２仕切板（117）によって前後３つの空間に仕切られている。これら仕切板（116,117）は、ケーシング（111）の左右方向に延びている。第１仕切板（116）は上記背面パネル（113）側寄りに、第２仕切板（117）は前面パネル（112）側寄りにそれぞれ配置されている。
【００３９】
ケーシング（111）内において、第１仕切板（116）の奥の空間は上下２つの空間に仕切られており、上側の空間が外気側流路（132）を、下側の空間が内気側流路（134）をそれぞれ構成している。外気側流路（132）は、外気吸込口（123）及び外気吸込ダクト（16）を介して室外空間と連通している。この外気側流路（132）には、ケーシング（111）の左右の内壁に亘って横断するように外気フィルタ（161）が配置されている。この外気フィルタ（161）は、外気吸込口（123）から取り込まれる室外空気中の塵埃を捕集する。内気側流路（134）は内気吸込口（124）及び内気吸込ダクト（18a）を介して室内と連通している。この内気側流路（134）には、ケーシング（111）の左右の内壁に亘って横断するように内気フィルタ（162）が配置されている。この内気フィルタ（162）は、内気吸込口（124）から取り込まれる室内空気中の塵埃を捕集する。
【００４０】
第２仕切板（117）の手前の空間は上下２つの空間に仕切られており、上側の空間が排気側流路（131）を、下側の空間が給気側流路（133）を構成している。排気側流路（131）は、排気ファン室（135）と連通している。給気側流路（133）は、給気ファン室（136）と連通している。
【００４１】
第１仕切板（116）と第２仕切板（117）との間の空間は、更に中央仕切板（118）によって左右２つの空間に仕切られている。そして、中央仕切板（118）の右側の空間が第１熱交換器室（137）を構成し、その左側の空間が第２熱交換器室（138）を構成している。第１熱交換器室（137）には第１吸着熱交換器（151）が、第２熱交換器室（138）には第２吸着熱交換器（152）がそれぞれ収容されている。これら２つの吸着熱交換器（151,152）は、それぞれが収容される熱交換器室（137,138）を左右方向へ横断するように配置されている。
【００４２】
第１仕切板（116）には、開閉式のダンパ（141〜144）が４つ設けられている。具体的に、第１仕切板（116）では、右側の上部に第１ダンパ（141）が、左側の上部に第２ダンパ（142）が、右側の下部に第３ダンパ（143）が、左側の下部に第４ダンパ（144）がそれぞれ取り付けられている。第１ダンパ（141）を開くと、外気側流路（132）と第１熱交換器室（137）が連通する。第２ダンパ（142）を開くと、外気側流路（132）と第２熱交換器室（138）が連通する。第３ダンパ（143）を開くと、内気側流路（134）と第１熱交換器室（137）が連通する。第４ダンパ（144）を開くと、内気側流路（134）と第２熱交換器室（138）が連通する。
【００４３】
第２仕切板（117）には、開閉式のダンパ（145〜148）が４つ設けられている。具体的に、第２仕切板（117）では、右側の上部に第５ダンパ（145）が、左側の上部に第６ダンパ（146）が、右側の下部に第７ダンパ（147）が、左側の下部に第８ダンパ（148）がそれぞれ取り付けられている。第５ダンパ（145）を開くと、排気側流路（131）と第１熱交換器室（137）が連通する。第６ダンパ（146）を開くと、排気側流路（131）と第２熱交換器室（138）が連通する。第７ダンパ（147）を開くと、給気側流路（133）と第１熱交換器室（137）が連通する。第８ダンパ（148）を開くと、給気側流路（133）と第２熱交換器室（138）が連通する。
【００４４】
以上のようにして、ケーシング（111）には、空気通路が形成されている。この空気通路は、上記外気側流路（132）、各熱交換器室（137,138）、給気側流路（133）、及び給気ファン室（136）までの給気用通路と、上記内気側流路（134）、各熱交換器室（137,138）、排気側流路（131）、及び排気ファン室（135）までの排気用通路とで構成される（空気の流れについての詳細は後述する）。
【００４５】
〈冷媒回路の構成〉
冷媒回路（150）について、図４を参照しながら説明する。
【００４６】
冷媒回路（150）は、第１吸着熱交換器（151）、第２吸着熱交換器（152）、圧縮機（153）、四方切換弁（154）、及び電動膨張弁（155）が設けられた閉回路である。この冷媒回路（150）は、充填された冷媒を循環させることによって、蒸気圧縮冷凍サイクルを行う。
【００４７】
冷媒回路（150）において、圧縮機（153）は、その吐出側が四方切換弁（154）の第１のポートに、その吸入側が四方切換弁（154）の第２のポートにそれぞれ接続されている。第１吸着熱交換器（151）の一端は、四方切換弁（154）の第３のポートに接続されている。第１吸着熱交換器（151）の他端は、電動膨張弁（155）を介して第２吸着熱交換器（152）の一端に接続されている。第２吸着熱交換器（152）の他端は、四方切換弁（154）の第４のポートに接続されている。
【００４８】
四方切換弁（154）は、第１のポートと第３のポートが連通して第２のポートと第４のポートが連通する第１状態（図４(Ａ)に示す状態）と、第１のポートと第４のポートが連通して第２のポートと第３のポートが連通する第２状態（図４(Ｂ)に示す状態）とに切り換え可能となっている。
【００４９】
第１吸着熱交換器（151）及び第２吸着熱交換器（152）は、何れもクロスフィン型のフィン・アンド・チューブ熱交換器によって構成されている。これら吸着熱交換器（151,152）は、銅製の伝熱管とアルミニウム製のフィンとを備えている。吸着熱交換器（151,152）に設けられた複数のフィンは、それぞれが長方形板状に形成され、一定の間隔で並べられている。また、伝熱管は、各フィンを貫通するように設けられている。
【００５０】
各吸着熱交換器（151,152）では、各フィンの表面に吸着剤が担持されており、フィンの間を通過する空気がフィンに担持された吸着剤と接触する。この吸着剤としては、ゼオライト、シリカゲル、活性炭、親水性の官能基を有する有機高分子材料など、空気中の水蒸気を吸着できるものが用いられる。
【００５１】
〈コントローラの構成〉
各コントローラ（21a,21b,21c）は、対応する調湿装置（13a,13b,13c）の圧縮機（153）が作動しているときの運転周波数、室外空気の温度及び湿度、室内空気の温度及び湿度などの情報を取得可能に構成されている。また、各コントローラ（21a,21b,21c）は、対応する調湿装置（13a,13b,13c）が発揮できる最大の潜熱能力と、これら調湿装置（13a,13b,13c）の稼働中の実際の潜熱能力とを、制御ユニット（12）に出力可能に構成されている。各コントローラ（21a,21b,21c）は、制御ユニット（12）から送信された潜熱能力、室外空気の温度及び湿度、室内空気の温度及び湿度に基づいて圧縮機（153）の運転周波数を導出し、導出した運転周波数で圧縮機（153）を作動させる。
【００５２】
また、コントローラ（21a,21b,21c）は、四方切換弁（154）を上述した第１状態と第２状態との間で切り替える切替動作を制御するように構成されており、電動膨張弁（155）の動作を制御するように構成されている。さらに、コントローラ（21a,21b,21c）は、ダンパ（141〜148）の状態を開状態と閉状態との間で切り換える切換動作を制御するように構成されており、上述した８個のダンパ（141〜148）の切換動作を個別に制御するように構成されている。
【００５３】
−運転動作−
本実施形態の各調湿装置（13a,13b,13c）では、除湿運転と加湿運転とが行われる。除湿運転中や加湿運転中の各調湿装置（13a,13b,13c）は、取り込んだ室外空気（OA）を調湿してから供給空気（SA）として室内へ供給すると同時に、取り込んだ室内空気（RA）を排出空気（EA）として室外へ排出する。尚、除湿運転中及び加湿運転中の各調湿装置の動作は同じであるため、調湿装置（13a）の動作について説明する。
【００５４】
〈除湿運転〉
除湿運転中の調湿装置（13a）では、排気ファン（125）及び給気ファン（126）が運転される。給気ファン（126）の運転が開始されると、室外空気が外気吸込口（123）からケーシング（111）内へ第１空気として取り込まれる。排気ファン（125）の運転が開始されると、室内空気が内気吸込口（124）からケーシング（111）内へ第２空気として取り込まれる。また、除湿運転中の調湿装置（13a）では、第１動作と第２動作が所定の時間間隔（例えば３分間隔）で交互に繰り返される。
【００５５】
除湿運転時の第１動作について説明する。
【００５６】
この第１動作中の冷媒回路（150）では、図４(Ａ)に示すように、四方切換弁（154）が第１状態に設定される。この状態の冷媒回路（150）では、冷媒が循環して冷凍サイクルが行われる（第１冷凍サイクル動作）。その際、冷媒回路（150）では、圧縮機（153）から吐出された冷媒が第１吸着熱交換器（151）、電動膨張弁（155）、第２吸着熱交換器（152）の順に通過し、第１吸着熱交換器（151）が凝縮器（即ち、放熱器）となって第２吸着熱交換器（152）が蒸発器となる。
【００５７】
図５に示すように、この第１動作中には、第２ダンパ（142）、第３ダンパ（143）、第５ダンパ（145）、及び第８ダンパ（148）だけが開状態となり、残りのダンパ（141,144,146,147）が閉状態となる。
【００５８】
外気吸込口（123）から外気側流路（132）へ流入した第１空気は、第２ダンパ（142）を通って第２熱交換器室（138）へ流入し、その後に第２吸着熱交換器（152）を通過する。第２吸着熱交換器（152）では、第１空気中の水分が吸着剤に吸着され、その際に生じた吸着熱が冷媒に吸熱される。第２吸着熱交換器（152）で除湿された第１空気は、第８ダンパ（148）を通って給気側流路（133）へ流入し、給気ファン室（136）を通過後に給気口（122）を通って室内へ供給される。
【００５９】
一方、内気吸込口（124）から内気側流路（134）へ流入した第２空気は、第３ダンパ（143）を通って第１熱交換器室（137）へ流入し、その後に第１吸着熱交換器（151）を通過する。第１吸着熱交換器（151）では、冷媒で加熱された吸着剤から水分が脱離し、この脱離した水分が第２空気に付与される。第１吸着熱交換器（151）で水分を付与された第２空気は、第５ダンパ（145）を通って排気側流路（131）へ流入し、排気ファン室（135）を通過後に排気口（121）を通って室外へ排出される。
【００６０】
除湿運転時の第２動作について説明する。
【００６１】
この第２動作中の冷媒回路（150）では、図４(Ｂ)に示すように、四方切換弁（154）が第２状態に設定される。この状態の冷媒回路（150）では、冷媒が循環して冷凍サイクルが行われる（第２冷凍サイクル動作）。その際、冷媒回路（150）では、圧縮機（153）から吐出された冷媒が第２吸着熱交換器（152）、電動膨張弁（155）、第１吸着熱交換器（151）の順に通過し、第２吸着熱交換器（152）が凝縮器となって第１吸着熱交換器（151）が蒸発器となる。
【００６２】
図６に示すように、この第２動作中には、第１ダンパ（141）、第４ダンパ（144）、第６ダンパ（146）、及び第７ダンパ（147）だけが開状態となり、残りのダンパ（142,143,145,148）が閉状態となる。
【００６３】
外気吸込口（123）から外気側流路（132）へ流入した第１空気は、第１ダンパ（141）を通って第１熱交換器室（137）へ流入し、その後に第１吸着熱交換器（151）を通過する。第１吸着熱交換器（151）では、第１空気中の水分が吸着剤に吸着され、その際に生じた吸着熱が冷媒に吸熱される。第１吸着熱交換器（151）で除湿された第１空気は、第７ダンパ（147）を通って給気側流路（133）へ流入し、給気ファン室（136）を通過後に給気口（122）を通って室内へ供給される。
【００６４】
一方、内気吸込口（124）から内気側流路（134）へ流入した第２空気は、第４ダンパ（144）を通って第２熱交換器室（138）へ流入し、その後に第２吸着熱交換器（152）を通過する。第２吸着熱交換器（152）では、冷媒で加熱された吸着剤から水分が脱離し、この脱離した水分が第２空気に付与される。第２吸着熱交換器（152）で水分を付与された第２空気は、第６ダンパ（146）を通って排気側流路（131）へ流入し、排気ファン室（135）を通過後に排気口（121）を通って室外へ排出される。
【００６５】
〈加湿運転〉
加湿運転中の調湿装置（13a）では、給気ファン（126）及び排気ファン（125）が運転される。給気ファン（126）の運転が開始されると、室外空気が外気吸込口（123）からケーシング（111）内へ第２空気として取り込まれる。排気ファン（125）の運転が開始されると、室内空気が内気吸込口（124）からケーシング（111）内へ第１空気として取り込まれる。また、加湿運転中の調湿装置（13a）では、第１動作と第２動作とが所定の時間間隔（例えば３分間隔）で交互に繰り返される。
【００６６】
加湿運転時の第１動作について説明する。
【００６７】
この第１動作中の冷媒回路（150）では、図４(Ａ)に示すように、四方切換弁（154）が第１状態に設定される。そして、この冷媒回路（150）では、除湿運転の第１動作中と同様に、第１吸着熱交換器（151）が凝縮器となって第２吸着熱交換器（152）が蒸発器となる。
【００６８】
図７に示すように、この第１動作中には、第１ダンパ（141）、第４ダンパ（144）、第６ダンパ（146）、及び第７ダンパ（147）だけが開状態となり、残りのダンパ（142,143,145,148）が閉状態となる。
【００６９】
内気吸込口（124）から内気側流路（134）へ流入した第１空気は、第４ダンパ（144）を通って第２熱交換器室（138）へ流入し、その後に第２吸着熱交換器（152）を通過する。第２吸着熱交換器（152）では、第１空気中の水分が吸着剤に吸着され、その際に生じた吸着熱が冷媒に吸熱される。第２吸着熱交換器（152）で水分を奪われた第１空気は、第６ダンパ（146）を通って排気側流路（131）へ流入し、排気ファン室（135）を通過後に排気口（121）を通って室外へ排出される。
【００７０】
一方、外気吸込口（123）から外気側流路（132）へ流入した第２空気は、第１ダンパ（141）を通って第１熱交換器室（137）へ流入し、その後に第１吸着熱交換器（151）を通過する。第１吸着熱交換器（151）では、冷媒で加熱された吸着剤から水分が脱離し、この脱離した水分が第２空気に付与される。第１吸着熱交換器（151）で加湿された第２空気は、第７ダンパ（147）を通って給気側流路（133）へ流入し、給気ファン室（136）を通過後に給気口（122）を通って室内へ供給される。
【００７１】
加湿運転時の第２動作について説明する。
【００７２】
この第２動作中の冷媒回路（150）では、図４(Ｂ)に示すように、四方切換弁（154）が第２状態に設定される。そして、この冷媒回路（150）では、除湿運転の第２動作中と同様に、第２吸着熱交換器（152）が凝縮器となって第１吸着熱交換器（151）が蒸発器となる。
【００７３】
図８に示すように、この第２動作中には、第２ダンパ（142）、第３ダンパ（143）、第５ダンパ（145）、及び第８ダンパ（148）が開状態となり、残りのダンパ（141,144,146,147）が閉状態となる。
【００７４】
内気吸込口（124）から内気側流路（134）へ流入した第１空気は、第３ダンパ（143）を通って第１熱交換器室（137）へ流入し、その後に第１吸着熱交換器（151）を通過する。第１吸着熱交換器（151）では、第１空気中の水分が吸着剤に吸着され、その際に生じた吸着熱が冷媒に吸熱される。第１吸着熱交換器（151）で水分を奪われた第１空気は、第５ダンパ（145）を通って排気側流路（131）へ流入し、排気ファン室（135）を通過後に排気口（121）を通って室外へ排出される。
【００７５】
一方、外気吸込口（123）から外気側流路（132）へ流入した第２空気は、第２ダンパ（142）を通って第２熱交換器室（138）へ流入し、その後に第２吸着熱交換器（152）を通過する。第２吸着熱交換器（152）では、冷媒で加熱された吸着剤から水分が脱離し、この脱離した水分が第２空気に付与される。第２吸着熱交換器（152）で加湿された第２空気は、第８ダンパ（148）を通って給気側流路（133）へ流入し、給気ファン室（136）を通過後に給気口（122）を通って室内へ供給される。
【００７６】
〈制御ユニット及びコントローラによる制御動作〉
次に、本実施形態の制御ユニット（12）及びコントローラ（21a,21b,21c）による制御動作について、図９を参照しながら説明する。
【００７７】
調湿システム（10）を起動すると、例えば１０分程度初期動作を行う。初期動作では、コントローラ（21a,21b,21c）は、室外空気の温度及び湿度、並びに室内空気の温度及び湿度に基づいて、対応する調湿装置（13a,13b,13c）の圧縮機（153）を制御する。これにより、各調湿装置（13a,13b,13c）において、上述した除湿運転又は加湿運転が行われる。このとき、圧縮機（153）が作動することで、各調湿装置（13a,13b,13c）の潜熱能力比にはばらつきが生じている可能性がある。尚、各調湿装置（13a,13b,13c）の潜熱能力の合計は、室内の潜熱負荷を所定値以上処理できるような値である。
【００７８】
本実施形態の調湿システム（10）は、初期動作が終了すると、図９に示す制御処理を行う。具体的に、まず、各調湿装置（13a,13b,13c）のコントローラ（21a,21b,21c）は、圧縮機（153）の運転周波数、室外空気の温度及び湿度、並びに室内空気の温度及び湿度を入力とし、これらの情報に基づいて算出した潜熱能力を制御ユニット（12）に出力する（Ｓ１０１）。また、各調湿装置（13a,13b,13c）のコントローラ（21a,21b,21c）は、対応する調湿装置（13a,13b,13c）が発揮できる最大の潜熱能力を制御ユニット（12）に出力する（Ｓ１０２）。尚、制御ユニット（12）は、各調湿装置（13a,13b,13c）が発揮できる最大の潜熱能力を予め記憶していてもよい。
【００７９】
制御ユニット（12）は、各コントローラ（21a,21b,21c）から出力された実際の潜熱能力を合計した実潜熱能力合計を算出するとともに、各コントローラ（21a,21b,21c）から出力された最大の潜熱能力を合計した最大潜熱能力合計を算出する。さらに、制御ユニット（12）は、各調湿装置（13a,13b,13c）の潜熱能力比の平均値（以下、平均能力比と称する。）を算出する。平均能力比は、実潜熱能力合計を最大潜熱能力合計で除して得られる値である（Ｓ１０３）。
【００８０】
そして、制御ユニット（12）は、各調湿装置（13a,13b,13c）が発揮すべき潜熱能力（以下、必要潜熱能力と称する。）を算出する。具体的に、制御ユニット（12）は、調湿装置が発揮できる最大の潜熱能力に平均能力比を乗じた値を、個々の調湿装置（13a,13b,13c）についての必要潜熱能力とする（Ｓ１０４）。
【００８１】
次に、制御ユニット（12）は、各調湿装置（13a,13b,13c）に対して、それぞれに対応する必要潜熱能力を送信する（Ｓ１０５）。
【００８２】
その後、各調湿装置（13a,13b,13c）のコントローラ（21a,21b,21c）は、制御ユニット（12）から送信された必要潜熱能力、室外空気の温度及び湿度、並びに室内空気の温度及び湿度を入力とし、これらの情報に基づいて、圧縮機（153）の運転周波数を導出する（Ｓ１０６）。
【００８３】
そして、各調湿装置（13a,13b,13c）のコントローラ（21a,21b,21c）は、一定時間（例えば１０分）経過後に、圧縮機（153）の運転周波数がＳ１０６で導出した運転周波数となるように、運転周波数を補正する（Ｓ０１７）。これにより、各調湿装置（13a,13b,13c）の潜熱能力比はＳ１０３で算出した平均能力比と同じになる。以後、Ｓ１０１に戻り、上述した処理が繰り返し行われる。
【００８４】
以上のように、Ｓ１０１〜Ｓ１０７の処理を繰り返すことで、一定時間毎（例えば１０分間毎）に、各調湿装置（13a,13b,13c）の潜熱能力比が同じになるように制御される。
【００８５】
各調湿装置（13a,13b,13c）及び制御ユニット（12）がＳ１０１〜Ｓ１０７の処理を行うと、その後１０分間は、各調湿装置（13a,13b,13c）のコントローラ（21a,21b,21c）が、それぞれの潜熱能力を室内の潜熱負荷に応じて調節する。具体的には、各コントローラ（21a,21b,21c）は、室内空気の湿度に基づいて、圧縮機（153）の運転容量を調節する制御を行う。各コントローラ（21a,21b,21c）は、この制御を、例えば２分毎に行う。そして、各コントローラ（21a,21b,21c）が１０分間、この制御を繰り返し行うと、制御ユニット（12）及び各コントローラ（21a,21b,21c）は、上述したＳ１０１〜Ｓ１０７の処理を再び行い、各調湿装置（13a,13b,13c）の潜熱能力比を一致させる。
【００８６】
このような動作を何度か繰り返すと、各調湿装置（13a,13b,13c）の潜熱能力の合計が、室内の潜熱負荷を処理できる値となり、しかも、各調湿装置（13a,13b,13c）の潜熱能力比が一致する状態となる。
【００８７】
−実施形態１の効果−
本実施形態における調湿システム（10）では、同一の室内空気を複数の調湿装置（13a,13b,13c）で調湿する場合に、各調湿装置（13a,13b,13c）の潜熱能力比が同じなるように制御されるため、各調湿装置（13a,13b,13c）の消費電力を均一化することができる。その結果、各調湿装置（13a,13b,13c）の潜熱能力比が異なる値になるように制御する場合に比べて、低消費電力化を図ることができる。また、各調湿装置（13a,13b,13c）の潜熱能力の合計は、室内の潜熱負荷を処理するために必要な値に保たれるため、室内の快適性が損なわれることがない。
【００８８】
ここで、３台の調湿装置（13a,13b,13c）の潜熱能力比が異なる場合と同じである場合とで、これら調湿装置（13a,13b,13c）の潜熱能力の合計が同じであるとする。また、説明を簡単にするために、３台の調湿装置（13a,13b,13c）は同じ機種及び性能であり、それぞれ発揮できる最大の潜熱能力が“１００”であるとする。
【００８９】
例えば、各調湿装置（13a,13b,13c）の潜熱能力比が異なる場合として、これらの潜熱能力比が、１／１０，５／１０，９／１０であるとする。この場合、各調湿装置（13a,13b,13c）の実際の潜熱能力は、“１０”，“５０”，“９０”となり、実潜熱能力合計は“１５０”となる。
【００９０】
一方、本実施形態のように、各調湿装置（13a,13b,13c）の潜熱能力比が同じになるように各調湿装置（13a,13b,13c）を制御した場合、実潜熱能力合計は“１５０”であり、最大潜熱能力合計は“３００”であるため、潜熱能力比は１／２となる。したがって、各調湿装置（13a,13b,13c）の潜熱能力は“５０”となる。
【００９１】
通常、調湿装置の潜熱能力が高くなれば、その消費電力も多くなるが、調湿装置の潜熱能力比と消費電力とには、図１０に示すような関係がある。尚、横軸が潜熱能力比、縦軸が消費電力を表す。
【００９２】
図１０に示すように、調湿装置の潜熱能力比と消費電力とは、線形的な関係ではなく、潜熱能力比が比較的高い場合における消費電力の変化は、潜熱能力比が比較的低い場合における消費電力の変化よりも大きいことがわかる。
【００９３】
したがって、３台の調湿装置（13a,13b,13c）の潜熱能力比が、１／１０，５／１０，９／１０である場合、これら調湿装置（13a,13b,13c）の消費電力の合計のうち、潜熱能力比が９／１０である調湿装置の消費電力が支配的となる。しかも、この状態から、これら潜熱能力比の差がさらに大きくなると、各調湿装置（13a,13b,13c）の消費電力の合計はより多くなってしまう。つまり、実潜熱能力合計が同じであっても、各調湿装置（13a,13b,13c）の潜熱能力比の差が大きくなるほど、消費電力の合計の増加がより顕著になる。
【００９４】
これに対して、本実施形態のように、各調湿装置（13a,13b,13c）の潜熱能力比が、それぞれ１／２になるように各調湿装置（13a,13b,13c）を制御すれば、各調湿装置（13a,13b,13c）の消費電力に差がなくなるため、各調湿装置（13a,13b,13c）の消費電力の合計が増加するのを抑制することができる。したがって、調湿システム全体（10）の低消費電力化を図ることができる。尚、上述した、各調湿装置（13a,13b,13c）の潜熱能力比と消費電力との関係は、各調湿装置（13a,13b,13c）の機種及び性能が異なる場合、つまり、各調湿装置（13a,13b,13c）が発揮できる最大の調湿能力が異なる場合にも当てはまることはいうまでもない。
【００９５】
−本実施形態の変形例１−
上記実施形態において、制御ユニット（12）は、各調湿装置（13a,13b,13c）の潜熱能力比の平均値を算出すればよいため、各調湿装置（13a,13b,13c）の潜熱能力比の合計を調湿装置の台数で除することで、平均能力比を算出してもよい。
【００９６】
−本実施形態の変形例２−
上記実施形態において、制御ユニット（12）は、各調湿装置（13a,13b,13c）の潜熱能力比の平均値を算出するように説明したが、複数の調湿装置（13a,13b,13c）のうち一つの調湿装置の潜熱能力比を基準（以下、基準能力比と称する。）とし、全ての調湿装置（13a,13b,13c）の潜熱能力比が、この基準能力比となるように、各調湿装置（13a,13b,13c）を制御してもよい。
【００９７】
例えば、図１において、一つの調湿装置（13a）を親機（以下、親機（13a）と称する。）とし、残りの各調湿装置（13b,13c）を子機（以下、子機（13b,13c）と称する。）とする。この場合、親機（13a）において、コントローラ（21a）は、親機（13a）の最大の潜熱能力と実際の潜熱能力とを、制御ユニット（12）に出力する。また、子機（13b,13c）において、コントローラ（21b,21c）は、対応する子機（13b,13c）の最大の潜熱能力を制御ユニット（12）に出力する。制御ユニット（12）は、親機（13a）からの出力に基づいて、親機（13a）の潜熱能力比、つまり基準能力比を算出する。
【００９８】
また、制御ユニット（12）は、算出した基準能力比に基づいて、各子機（13b,13c）が発揮すべき潜熱能力を算出する。そして、制御ユニット（12）は、各子機（13b,13c）に対して、算出した潜熱能力を送信すればよい。すなわち、制御ユニット（12）は、各子機（13b,13c）の潜熱能力比を、親機（13a）の潜熱能力比である基準能力比に合わせるように、各調湿装置（13a,13b,13c）を制御すればよい。これにより、各調湿装置（13a,13b,13c）の潜熱能力比が同じになる。
【００９９】
また、親機（13a）は、室内空気の湿度に基づいて、自身の潜熱能力を調節することができる。各調湿装置（13a,13b,13c）の潜熱能力の合計が、室内の潜熱負荷よりも大きい場合は、除湿運転中なら湿度が設定値を下回り、加湿運転中なら湿度が設定値を上回る。その場合、親機（13a）のコントローラ（21a）は、圧縮機（153）の運転周波数を引き下げ、自身の潜熱能力を低下させる。
【０１００】
逆に、各調湿装置（13a,13b,13c）の潜熱能力の合計が、室内の潜熱負荷よりも小さい場合は、除湿運転中なら湿度が設定値を上回り、加湿運転中なら湿度が設定値を下回る。その場合、親機（13a）のコントローラ（21a）は、圧縮機（153）の運転周波数を引き上げ、自身の潜熱能力を向上させる。
【０１０１】
親機（13a）の潜熱能力が変化すると、その潜熱能力比も変化することになるため、各調湿装置（13a,13b,13c）の潜熱能力比にばらつきが生じることとなる。そこで、再び、親機（13a）は、各子機（13b,13c）の潜熱能力比を、親機（13a）の潜熱能力比に一致させるような制御を行う。つまり、親機（13a）は、一定時間毎（例えば１０分間毎）に、各調湿装置（13a,13b,13c）の潜熱能力比を基準能力比に一致させるような制御を行う。
【０１０２】
これらの動作を繰り返すことで、各調湿装置（13a,13b,13c）の潜熱能力の合計が室内の潜熱負荷を処理できる値となり、しかも各調湿装置（13a,13b,13c）の潜熱能力比が一致する状態となる。
【０１０３】
《その他の実施形態》
上記実施形態では、制御ユニット（12）を、複数の調湿装置（13a,13b,13c）とは別に設けた構成について説明したが、複数の調湿装置（13a,13b,13c）のうちいずれかの調湿装置内に、制御ユニット（12）を設けてもよい。上述した実施形態の変形例２で説明したように、例えば親機（13a）に制御ユニット（12）を設け、親機（13a）及び子機（13b,13c）が図９に示すＳ１０１〜Ｓ１０７の処理を行うようにしてもよい。
【０１０４】
尚、上記の実施形態および変形例は、本質的に好ましい例示であって、本発明、その適用物、あるいはその用途の範囲を制限することを意図するものではない。
【産業上の利用可能性】
【０１０５】
以上説明したように、本発明は、複数の調湿装置で同一の室内の空気を調湿する調湿システムについて有用である。
【符号の説明】
【０１０６】
10           調湿システム
12           制御ユニット（制御部）
13a,13b,13c  調湿装置
150          冷媒回路
151          第１吸着熱交換器
152          第２吸着熱交換器
153          圧縮機
【図１】
2013139899.tif 000003
【図２】
2013139899.tif 000004
【図３】
2013139899.tif 000005
【図４】
2013139899.tif 000006
【図５】
2013139899.tif 000007
【図６】
2013139899.tif 000008
【図７】
2013139899.tif 000009
【図８】
2013139899.tif 000010
【図９】
2013139899.tif 000011
【図１０】
2013139899.tif 000012